(57)【要約】【課題】第１の筐体および第２の筐体をスライドさせる機構を備え、それぞれの筐体に表示部を設けた表示装置において、スライドの途中の状態で、スライド量に応じて表示内容を変更することができる画像表示装置を提供する。【解決手段】第１表示／光センサ部３００Ａおよび第２表示／光センサ部３００Ｂの少なくともいずれか一方に、接触入力によって文字入力を行うための複数のキー画像を含むキーボード画像を表示する制御を行う画面表示制御部８１１と、スライド機構による上部筐体と下部筐体とのスライド量を検知するスライド状態検出部８４０とを備え、画面表示制御部８１１が、スライド状態検出部８４０によるスライド量の検知結果に応じて、キーボード画像の表示状態を変更する。【選択図】図１
2010130210.tif 000002
【特許請求の範囲】
【請求項１】
画像を表示する第１表示部を備える第１筐体と、
画像を表示する第２表示部を備え、上記第１筐体に対して、上記第１表示部が設けられている面とは異なる面を介して接続されているとともに、上記第１筐体と接する接続面に上記第２表示部が設けられている第２筐体と、
上記第１筐体および上記第２筐体を、上記接続面に平行な方向に互いに相対移動させるスライド機構と、
上記第１表示部および上記第２表示部の少なくともいずれか一方に特定の画像を表示する制御を行う画面表示制御手段と、
上記スライド機構によるスライド量を検知するスライド状態検出手段とを備え、
上記画面表示制御手段が、上記スライド状態検出手段によるスライド量の検知結果に応じて、上記特定の画像の表示状態を変更することを特徴とする画像表示装置。
【請求項２】
上記第１筐体が、上記第１表示部の表示面への接触入力を検知する第１入力検知部をさらに備え、
上記第２筐体が、上記第２表示部の表示面への接触入力を検知する第２入力検知部をさらに備えていることを特徴とする請求項１記載の画像表示装置。
【請求項３】
上記画面表示制御手段が、上記第１表示部および上記第２表示部の少なくともいずれか一方に、上記特定の画像として、接触入力によって文字入力を行うための複数のキー画像を含むキーボード画像を表示する制御を行うとともに、上記スライド状態検出手段によるスライド量の検知結果に応じて、上記キーボード画像の表示状態を変更することを特徴とする請求項２記載の画像表示装置。
【請求項４】
上記画面表示制御手段が、上記スライド量の検知結果に応じて、上記キーボード画像の表示領域の位置を変更することを特徴とする請求項３記載の画像表示装置。
【請求項５】
上記画面表示制御手段が、上記スライド量の検知結果に応じて、上記キーボード画像を、上記第２表示部にのみ表示する制御と、上記第２表示部と上記第１表示部とにまたがって表示する制御とで切り替えることを特徴とする請求項３または４記載の画像表示装置。
【請求項６】
上記スライド機構が、上記第１筐体および上記第２筐体を、上記接続面に平行な方向のうち、複数の方向に相対移動させる構造となっており、
上記スライド状態検出手段が、上記スライド機構によるスライド方向をさらに検知するとともに、
上記画面表示制御手段が、上記スライド状態検出手段によるスライド方向の検知結果に応じて、上記特定の画像の表示状態を変更することを特徴とする請求項１〜５のいずれか一項に記載の画像表示装置。
【請求項７】
上記第２入力検知部が、近傍の像を検知する面状の像検知部であり、
上記スライド状態検出手段が、上記第２入力検知部による検知結果に基づいてスライド状態を検知することを特徴とする請求項１〜６のいずれか一項に記載の画像表示装置。
【請求項８】
画像を表示する第１表示部を備える第１筐体と、画像を表示する第２表示部を備え、上記第１筐体に対して、上記第１表示部が設けられている面とは異なる面を介して接続されているとともに、上記第１筐体と接する接続面に上記第２表示部が設けられている第２筐体と、上記第１筐体および上記第２筐体を、上記接続面に平行な方向に互いに相対移動させるスライド機構とを備えた画像表示装置の制御方法であって、
上記第１表示部および上記第２表示部の少なくともいずれか一方に特定の画像を表示する制御を行う画面表示制御ステップと、
上記スライド機構によるスライド量を検知するスライド状態検出ステップとを有し、
上記画面表示制御ステップにおいて、上記スライド状態検出ステップによるスライド量の検知結果に応じて、上記特定の画像の表示状態を変更することを特徴とする画像表示装置の制御方法。
【請求項９】
請求項１から７のいずれか一項に記載の画像表示装置を動作させるプログラムであって、コンピュータを上記の各手段として機能させるためのプログラム。
【請求項１０】
請求項９に記載のプログラムを記録しているコンピュータ読み取り可能な記録媒体。
【発明の詳細な説明】
【技術分野】
【０００１】
本発明は、第１表示部を備える第１筐体と、第２表示部を備える第２筐体とを、接続面に平行な方向に互いに相対移動させるスライド機構を備える画像表示装置に関するものである。
【背景技術】
【０００２】
近年、携帯電話機および携帯型ゲーム機器をはじめとする携帯型情報端末が広く普及している。このような携帯型情報端末において、２つの筐体を互いにスライドさせる機構を有する構造のものが存在する。例えば携帯電話機において、第１の筐体に表示部を設け、第２の筐体にキーやボタンなどを設けた構成のものがある。このようなスライド機構を有する構成の場合、例えば携帯時など、装置サイズを小さくしたい時には第２の筐体を第１の筐体の下部に重ね合わせた状態とし、通話時や情報入力時などには第２の筐体を第１の筐体の下部から引き出してキーやボタンを露出させる、というような使い方が想定される。
【０００３】
一方、一般的な携帯型情報端末は、各種情報を表示する表示部と、キーやボタンなどからなるキーボード部とを備えている。これに対して、操作性を向上させるために、表示部にタッチパネル機能を持たせているものも普及している。
【０００４】
また、携帯型情報端末において、画像を表示する表示部を複数備えている機器も存在している。これらの機器では、少なくともいずれかの表示部にタッチパネル機能が設けられている構成となっていることが多い。
【０００５】
タッチパネル機能を備えている構成において、表示部にキーボード画像を表示し、該キーボード画像に対してユーザが指やペンなどによって接触入力を行うことによって文字などの入力を実現するソフトウェアキーボードも広く普及している。この機能を実装することによって、携帯型情報端末においてハードウェアのキーボードを設ける必要性がなくなり、装置の簡素化、小型化が実現されている。
【特許文献１】特開平１０−２６９０２２号公報（平成１０年１０月９日公開）
【特許文献２】特開２００３−５９１２号公報（平成１５年１月１０日公開）
【特許文献３】特開２００４−３０２９５８号公報（平成１６年１０月２８日公開）
【発明の開示】
【発明が解決しようとする課題】
【０００６】
上記のようなスライド機構を有する構成において、表示部を、第１の筐体のみならず第２の筐体にも設ける構成が考えられる。この構成の場合、スライドをさせていない状態と、完全にスライドさせた状態とで、２つの表示部それぞれにおける表示内容を切り替える構成は考えられるが、スライドの途中の状態で、スライド量をユーザがコントロールすることによって表示内容を変更するという技術思想は提案されていない。
【０００７】
また、上記のようなソフトウェアキーボードにおいて、従来の構成では、キーボード画像は、基本的に特定の領域に特定の大きさで表示される。つまり、画面表示の面積が限られている状況で、キーボード画像が常に一定の領域を占有することになるので、アプリケーションによっては、キーボード画像以外の表示領域が狭くなることによる操作性の悪化を招く状況も存在している。
【０００８】
本発明は、上記の課題に鑑みてなされたものであり、その目的は、第１の筐体および第２の筐体をスライドさせる機構を備え、それぞれの筐体に表示部を設けた表示装置において、スライドの途中の状態で、スライド量に応じて表示内容を変更することができる画像表示装置、画像表示装置の制御方法、プログラム、および記録媒体を提供することにある。
【課題を解決するための手段】
【０００９】
本発明に係る画像表示装置は、上記課題を解決するために、画像を表示する第１表示部を備える第１筐体と、画像を表示する第２表示部を備え、上記第１筐体に対して、上記第１表示部が設けられている面とは異なる面を介して接続されているとともに、上記第１筐体と接する接続面に上記第２表示部が設けられている第２筐体と、上記第１筐体および上記第２筐体を、上記接続面に平行な方向に互いに相対移動させるスライド機構と、上記第１表示部および上記第２表示部の少なくともいずれか一方に特定の画像を表示する制御を行う画面表示制御手段と、上記スライド機構によるスライド量を検知するスライド状態検出手段とを備え、上記画面表示制御手段が、上記スライド状態検出手段によるスライド量の検知結果に応じて、上記特定の画像の表示状態を変更する構成である。
【００１０】
また、本発明に係る画像表示装置の制御方法は、画像を表示する第１表示部を備える第１筐体と、画像を表示する第２表示部を備え、上記第１筐体に対して、上記第１表示部が設けられている面とは異なる面を介して接続されているとともに、上記第１筐体と接する接続面に上記第２表示部が設けられている第２筐体と、上記第１筐体および上記第２筐体を、上記接続面に平行な方向に互いに相対移動させるスライド機構とを備えた画像表示装置の制御方法であって、上記第１表示部および上記第２表示部の少なくともいずれか一方に特定の画像を表示する制御を行う画面表示制御ステップと、上記スライド機構によるスライド量を検知するスライド状態検出ステップとを有し、上記画面表示制御ステップにおいて、上記スライド状態検出ステップによるスライド量の検知結果に応じて、上記特定の画像の表示状態を変更する方法である。
【００１１】
なお、スライド機構のスライド量の検知は、スライドをさせていない状態および完全にスライドさせた状態の検知に加え、スライド途中の状態も少なくとも１つ以上の箇所で検知するものである。
【００１２】
上記の装置では、第１筐体と第２筐体とがスライドして相対移動可能となっているとともに、第１表示部が接続面とは異なる面に設けられ、第２表示部が接続面に設けられている。すなわち、第１表示部はスライド量によらず外部に露出している一方、第２表示部は、スライド量に応じて、外部に露出する面積が変化することになる。
【００１３】
このような装置において、上記の構成または方法によれば、第１表示部および第２表示部の少なくともいずれか一方に特定の画像が表示される。そして、スライド量の検知結果に応じて、この特定の画像の表示状態が変更されるようになっている。
【００１４】
すなわち、スライド量によって、第１表示部と第２表示部とで表示可能な全体表示領域が変化することになるが、この全体表示領域の変化に応じて、特定の画像の表示状態を最適化することが可能となる。よって、画面表示の視認性および操作性の両方を向上させることができる。
【００１５】
また、本発明に係る画像表示装置は、上記の構成において、上記第１筐体が、上記第１表示部の表示面への接触入力を検知する第１入力検知部をさらに備え、上記第２筐体が、上記第２表示部の表示面への接触入力を検知する第２入力検知部をさらに備えている構成としてもよい。
【００１６】
上記の構成によれば、第１表示部および第２表示部に対して接触入力を行うことが可能となるので、スライド量に応じて接触入力を行うべき場所を変更するなどの制御を行うことが可能となる。
【００１７】
また、本発明に係る画像表示装置は、上記の構成において、上記画面表示制御手段が、上記第１表示部および上記第２表示部の少なくともいずれか一方に、上記特定の画像として、接触入力によって文字入力を行うための複数のキー画像を含むキーボード画像を表示する制御を行うとともに、上記スライド状態検出手段によるスライド量の検知結果に応じて、上記キーボード画像の表示状態を変更する構成としてもよい。
【００１８】
上記の構成によれば、第１表示部および第２表示部の少なくともいずれか一方に、接触入力によって文字入力を行うための複数のキー画像を含むキーボード画像が表示される。そして、スライド量の検知結果に応じて、キーボード画像の表示状態が変更されるようになっている。
【００１９】
すなわち、スライド量によって、第１表示部と第２表示部とで表示可能な全体表示領域が変化することになるが、この全体表示領域の変化に応じて、キーボード画像の表示状態を最適化することが可能となる。よって、画面表示の視認性および操作性の両方を向上させることができる。
【００２０】
また、例えば実行されているアプリケーションに応じて、スライド量を変化させることによって所望の状態のキーボード画像の表示状態を得る、というような操作性をユーザに対して提供することが可能となる。
【００２１】
また、本発明に係る画像表示装置は、上記の構成において、上記画面表示制御手段が、上記スライド量の検知結果に応じて、上記キーボード画像の表示領域の位置を変更する構成としてもよい。
【００２２】
上記したように、スライド量によって、第１表示部と第２表示部とで表示可能な全体表示領域が変化することになるが、上記の構成によれば、この全体表示領域の変化に応じて、キーボード画像の表示領域の位置が変更されることになる。よって、全体表示領域の状態に応じて最適な位置にキーボード画像を表示させることが可能となる。
【００２３】
また、本発明に係る画像表示装置は、上記の構成において、上記画面表示制御手段が、上記スライド量の検知結果に応じて、上記キーボード画像を、上記第２表示部にのみ表示する制御と、上記第２表示部と上記第１表示部とにまたがって表示する制御とで切り替える構成としてもよい。
【００２４】
上記の構成によれば、スライド量の変化に伴う全体表示領域の変化に応じて、キーボード画像が、第２表示部にのみ表示される場合と、第２表示部と第１表示部とにまたがって表示される場合とで切り替えられることになる。よって、第１表示部と第２表示部とのハードウェア的な相違を越えて、シームレスにキーボード画像の表示を行うことが可能となり、全体表示領域を効率的で操作性の良好な状態として利用することができる。
【００２５】
また、本発明に係る画像表示装置は、上記の構成において、上記スライド機構が、上記第１筐体および上記第２筐体を、上記接続面に平行な方向のうち、複数の方向に相対移動させる構造となっており、上記スライド状態検出手段が、上記スライド機構によるスライド方向をさらに検知するとともに、上記画面表示制御手段が、上記スライド状態検出手段によるスライド方向の検知結果に応じて、上記キーボード画像の表示状態を変更する構成としてもよい。
【００２６】
上記のように、第１筐体と第２筐体とのスライド方向が異なる場合、全体表示領域の形状も異なることになり、ユーザが所望とするユーザインターフェースも異なることになる。これに対して、上記の構成によれば、スライド方向の検知結果に応じてキーボード画像の表示状態が変更されることになるので、スライド方向に応じた最適なキーボード画像の表示を行うことが可能となる。
【００２７】
また、本発明に係る画像表示装置は、上記の構成において、上記第２入力検知部が、近傍の像を検知する面状の像検知部であり、上記スライド状態検出手段が、上記第２入力検知部による検知結果に基づいてスライド状態を検知する構成としてもよい。
【００２８】
上記の構成では、第２入力検知部が、近傍の像を検知する面状の像検知部となっている。つまり、第２表示部への接触入力は、接触が行われた物体の像を検知することによって検出されることになる。
【００２９】
また、第２表示部は、第１筐体との接続面に設けられているので、第１筐体と第２筐体とがスライドしている状態は、第２入力検知部による像検知によって検出することが可能となる。
【００３０】
すなわち、第２入力検知部は、接触入力の検知機能と、スライド状態の検知機能との２つの機能を兼ねていることになり、両者をそれぞれ別の構成によって実現する構成と比較して、構成をより簡素にすることができる。
【００３１】
また、本発明に係る画像表示装置を動作させるためのプログラムであって、コンピュータを上記の各手段として駆動させることを特徴とするプログラムおよび該プログラムを記録したコンピュータ読み取り可能な記録媒体も本発明の範疇に含まれる。
【発明の効果】
【００３２】
本発明に係る画像表示装置は、以上のように、画像を表示する第１表示部を備える第１筐体と、画像を表示する第２表示部を備え、上記第１筐体に対して、上記第１表示部が設けられている面とは異なる面を介して接続されているとともに、上記第１筐体と接する接続面に上記第２表示部が設けられている第２筐体と、上記第１筐体および上記第２筐体を、上記接続面に平行な方向に互いに相対移動させるスライド機構と、上記第１表示部および上記第２表示部の少なくともいずれか一方に特定の画像を表示する制御を行う画面表示制御手段と、上記スライド機構によるスライド量を検知するスライド状態検出手段とを備え、上記画面表示制御手段が、上記スライド状態検出手段によるスライド量の検知結果に応じて、上記特定の画像の表示状態を変更する構成である。これにより、スライド量による全体表示領域の変化に応じて、特定の画像の表示状態を最適化することが可能となり、画面表示の視認性および操作性の両方を向上させることができるという効果を奏する。
【発明を実施するための最良の形態】
【００３３】
本発明に係るデータ表示／センサ装置（画像表示装置）の一実施形態について図面を参照しながら以下に説明する。
【００３４】
（データ表示／センサ装置の外観）
図９（ａ）〜図９（ｃ）は、データ表示／センサ装置１００の外観を示す斜視図である。これらの図に示すように、データ表示／センサ装置１００は、上部筐体（第１筐体）４０、下部筐体（第２筐体）４１を備えている。
【００３５】
上部筐体４０の１つの面と下部筐体４１の１つの面とは互いに接しており、この接続面を介して両者が接続されている。そして、上部筐体４０と下部筐体４１とは、両者の接続面に平行な方向に互いに相対移動するスライド機構を備えている。本実施形態では、このスライド機構は、第１の方向、および、該第１の方向に垂直な第２の方向への相対移動が可能な構造となっている。
【００３６】
図９（ａ）は、上部筐体４０と下部筐体４１とが完全に重なっている配置状態を示しており、図９（ｂ）は、上部筐体４０と下部筐体４１とが上記第１の方向で相対移動してずれている配置状態を示しており、図９（ｃ）は、上部筐体４０と下部筐体４１とが上記第２の方向で相対移動してずれている配置状態を示している。
【００３７】
このようなスライド機構を実現する構成としては、例えば、上部筐体４０における上記接続面、または、下部筐体４１における上記接続面にＴ字状もしくは＋字状のレールを設けておき、下部筐体４１における上記接続面、または、上部筐体４０における上記接続面に設けられた突起構造が上記レールに沿って移動するような構成が考えられる。なお、スライド機構の構成としては、特にこのような構成に限定されるものではなく、上部筐体４０と下部筐体４１との相対移動ができる構造であればどのようなものであってもよい。また、上記第１の方向と第２の方向とがなす角度が９０度以外であってもよい。さらに、上部筐体４０と下部筐体４１との相対移動の方向も、上記のような２方向ではなく、より多くの方向への相対移動が可能となっていてもよい。
【００３８】
また、上部筐体４０は、第１表示／光センサ部（第１表示部・第１入力検知部）３００Ａを備えており、下部筐体４１は、第２表示／光センサ部（第２表示部・第２入力検知部）３００Ｂを備えている。第１表示／光センサ部３００Ａは、上部筐体４０における上記接続面の反対側となる面に設けられている。また、第２表示／光センサ部３００Ｂは、下部筐体４１における上記接続面に設けられている。すなわち、第１表示／光センサ部３００Ａは、上部筐体４０と下部筐体４１との配置状態によらず、外部に全て露出されている一方、第２表示／光センサ部３００Ｂは、下部筐体４１を上部筐体４０に対してずらした配置状態とした場合に、ずれ量に応じて露出することになる。
【００３９】
（センサ内蔵液晶パネルの概要）
上記データ表示／センサ装置１００が備えるセンサ内蔵液晶パネル３０１は、データの表示に加え、対象物の画像検出が可能な液晶パネルである。ここで、対象物の画像検出とは、例えば、ユーザが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【００４０】
図２を参照しながら、センサ内蔵液晶パネル３０１の構造について説明する。図２は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【００４１】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【００４２】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【００４３】
次に、図３（ａ）および図３（ｂ）を参照しながら、ユーザが、指やペンで、センサ内蔵液晶パネル３０１上をタッチした位置を検出する２種類の方法について説明する。
【００４４】
図３（ａ）は、反射像を検知することにより、ユーザがタッチした位置を検出する様子を示す模式図である。バックライト３０７から光６３が出射されると、フォトダイオード６を含む光センサ回路３２は、指などの対象物６４により反射された光６３を検知する。これにより、対象物６４の反射像を検知することができる。このように、センサ内蔵液晶パネル３０１は、反射像を検知することにより、タッチした位置を検出することができる。
【００４５】
また、図３（ｂ）は、影像を検知することにより、ユーザがタッチした位置を検出する様子を示す模式図である。図３（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【００４６】
上述のように、フォトダイオード６は、バックライト３０７より出射された光の反射光（影像）を検知してもよいし、外光による影像を検知してもよい。また、上記２種類の検知方法を併用して、影像と反射像とを両方を同時に検知するようにしてもよい。
【００４７】
（データ表示／センサ装置の要部構成）
次に、図４を参照しながら、上記データ表示／センサ装置１００の要部構成について説明する。図４は、データ表示／センサ装置１００の要部構成を示すブロック図である。図示のように、データ表示／センサ装置１００は、表示／光センサ部３００、回路制御部６００、データ処理部７００、主制御部８００、記憶部９０１、一次記憶部９０２、操作部９０３、外部通信部９０７、音声出力部９０８、および音声入力部９０９を備えている。ここでは、データ表示／センサ装置１００は、表示／光センサ部３００を２つ（第１表示／光センサ部３００Ａおよび第２表示／光センサ部３００Ｂ）備えているものとして説明する。なお、第１表示／光センサ部３００Ａおよび第２表示／光センサ部３００Ｂを区別しないときは、表示／光センサ部３００と表記する。
【００４８】
表示／光センサ部３００は、いわゆる光センサ内蔵液晶表示装置である。表示／光センサ部３００は、センサ内蔵液晶パネル３０１、バックライト３０７、それらを駆動するための周辺回路３０９を含んで構成される。
【００４９】
センサ内蔵液晶パネル３０１は、マトリクス状に配置された複数の画素回路３１および光センサ回路３２を含んで構成される。センサ内蔵液晶パネル３０１の詳細な構成については後述する。
【００５０】
周辺回路３０９は、液晶パネル駆動回路３０４、光センサ駆動回路３０５、信号変換回路３０６、バックライト駆動回路３０８を含む。
【００５１】
液晶パネル駆動回路３０４は、回路制御部６００の表示制御部６０１からのタイミング制御信号（ＴＣ１）およびデータ信号（Ｄ）に従って、制御信号（Ｇ）およびデータ信号（Ｓ）を出力し、画素回路３１を駆動する回路である。画素回路３１の駆動方法の詳細については後述する。
【００５２】
光センサ駆動回路３０５は、回路制御部６００のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【００５３】
信号変換回路３０６は、光センサ回路３２から出力されるセンサ出力信号（ＳＳ）をデジタル信号（ＤＳ）に変換し、該変換後の信号をセンサ制御部６０２に送信する回路である。
【００５４】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【００５５】
バックライト駆動回路３０８は、回路制御部６００のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。
【００５６】
次に、回路制御部６００について説明する。回路制御部６００は、表示／光センサ部３００の周辺回路３０９を制御するデバイスドライバとしての機能を備えるものである。回路制御部６００は、表示制御部６０１、センサ制御部６０２、バックライト制御部６０３、および表示データ記憶部６０４を備えている。
【００５７】
表示制御部６０１は、データ処理部７００の表示データ処理部７０１から表示データを受信するとともに、表示データ処理部７０１からの指示に従って、表示／光センサ部３００の液晶パネル駆動回路３０４に、タイミング制御信号（ＴＣ１）およびデータ信号（Ｄ）を送信し、上記受信した表示データをセンサ内蔵液晶パネル３０１に表示させる。
【００５８】
なお、表示制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【００５９】
センサ制御部６０２は、データ処理部７００のセンサデータ処理部７０３からの指示に従って、表示／光センサ部３００の光センサ駆動回路３０５に、タイミング制御信号（ＴＣ２）を送信し、センサ内蔵液晶パネル３０１にてスキャンを実行させる。
【００６０】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【００６１】
バックライト制御部６０３は、表示データ処理部７０１およびセンサデータ処理部７０３からの指示に従って、表示／光センサ部３００のバックライト駆動回路３０８に制御信号（ＢＫ）を送信し、バックライト３０７を駆動させる。
【００６２】
なお、データ表示／センサ装置１００が、複数の表示／光センサ部３００を備える場合、表示制御部６０１は、データ処理部７００から、どの表示／光センサ部３００にて表示データを表示するかの指示を受けたとき、当該指示に応じた表示／光センサ部３００の液晶パネル駆動回路３０４を制御する。また、センサ制御部６０２は、データ処理部７００から、どの表示／光センサ部３００にて対象物のスキャンを行うかの指示を受けたとき、当該指示に応じた表示／光センサ部３００の光センサ駆動回路３０５を制御するとともに、当該指示に応じた表示／光センサ部３００の信号変換回路３０６からデジタル信号（ＤＳ）を受信する。
【００６３】
次に、データ処理部７００について説明する。データ処理部７００は、主制御部８００から受信する「コマンド」に基づいて、回路制御部６００に指示を与えるミドルウェアとしての機能を備えるものである。なお、コマンドの詳細については後述する。
【００６４】
データ処理部７００は、表示データ処理部７０１およびセンサデータ処理部７０３を備えている。そして、データ処理部７００が、主制御部８００からコマンドを受信すると、該受信したコマンドに含まれる各フィールド（後述する）の値に応じて、表示データ処理部７０１およびセンサデータ処理部７０３の少なくとも一方が動作する。
【００６５】
表示データ処理部７０１は、主制御部８００から表示データを受信するとともに、データ処理部７００が受信したコマンドに従って、表示制御部６０１およびバックライト制御部６０３に指示を与え、上記受信した表示データをセンサ内蔵液晶パネル３０１に表示させる。なお、コマンドに応じた、表示データ処理部７０１の動作については、後述する。
【００６６】
センサデータ処理部７０３は、データ処理部７００が受信したコマンドに従って、センサ制御部６０２およびバックライト制御部６０３に指示を与える。
【００６７】
また、センサデータ処理部７０３は、センサ制御部６０２から画像データを受信し、当該画像データをそのまま画像データバッファ７０４に格納する。そして、センサデータ処理部７０３は、データ処理部７００が受信したコマンドに従って、画像データバッファ７０４に記憶されている画像データに基づいて、「全体画像データ」、「部分画像データ（部分画像の座標データを含む）」、および「座標データ」の少なくともいずれか１つを、主制御部８００に送信する。なお、全体画像データ、部分画像データ、および座標データについては、後述する。また、コマンドに応じた、センサデータ処理部７０３の動作については、後述する。
【００６８】
次に、主制御部８００は、オペレーションシステム（ＯＳ）の処理、各種アプリケーションの処理、および、入力アプリケーションの処理を実行するものである。主制御部８００は、記憶部９０１に格納されているプログラムを、例えばＲＡＭ（Random Access Memory）等で構成される一次記憶部９０２に読み出して実行する。この主制御部８００の構成および処理の詳細については後述する。
【００６９】
主制御部８００で実行されるプログラムは、センサ内蔵液晶パネル３０１に表示データを表示させたり、センサ内蔵液晶パネル３０１にて対象物のスキャンを行わせるために、データ処理部７００に対して、コマンドおよび表示データを送信する。また、コマンドに「データ種別」を指定した場合は、当該コマンドの応答として、全体画像データ、部分画像データ、および座標データの少なくともいずれか１つを、データ処理部７００から受信する。
【００７０】
なお、回路制御部６００、データ処理部７００、および主制御部８００は、それぞれ、ＣＰＵ（Central Processing Unit）およびメモリ等で構成することができる。また、データ処理部７００は、ＡＳＩＣ（application specific integrate circuit）などの回路で構成されていてもよい。
【００７１】
次に、記憶部９０１は、図示のように、主制御部８００が実行するプログラムおよびデータを格納するものである。なお、主制御部８００が実行するプログラムは、アプリケーション固有のプログラムと、各アプリケーションが共用可能な汎用プログラムとに分離されていてもよい。
【００７２】
次に、操作部９０３は、データ表示／センサ装置１００のユーザの入力操作を受けつけるものである。操作部９０３は、本実施形態では、例えばスイッチなどによって構成される。上記スイッチの例としては、上部筐体４０と下部筐体４１との接続面近傍に設けられ、上部筐体４０と下部筐体４１とが完全に重なった状態であるか、ずれた状態であるかを検出するスライド部スイッチ９０４、電源のオンとオフとを切り替える電源スイッチ９０５、および、予め所定の機能が割り当てられているユーザスイッチ９０６などのハードウェアスイッチなどが挙げられる。なお、詳細は後述するが、上部筐体４０と下部筐体４１とのスライド状態は、センサデータ処理部７０３による出力結果に基づいて主制御部８００が判定することが可能であるので、上記のスライド部スイッチ９０４を設けない構成としてもよい。
【００７３】
その他操作部９０３としては、例えば、リモコン、マウス、キーボードなどの入力デバイスが含まれていても良い。そして、操作部９０３は、データ表示／センサ装置１００のユーザの入力操作に応じた制御信号を生成し、該生成した制御信号を主制御部８００へ送信する。
【００７４】
その他、データ表示／センサ装置１００は、無線／有線通信によって外部装置と通信を行うための外部通信部９０７、音声を出力するためのスピーカ等の音声出力部９０８、音声信号を入力するためのマイク等の音声入力部９０９などを適宜備えていてもよい。
【００７５】
（コマンドの詳細）
次に、図５および図６を参照しながら、主制御部８００からデータ処理部７００に送信されるコマンドの詳細について説明する。図５は、コマンドのフレーム構造の一例を模式的に示す図である。また、図６は、コマンドに含まれる各フィールドに指定可能な値の一例、および、その概要を説明する図である。
【００７６】
図５に示すように、コマンドは、「ヘッダ」、「データ取得タイミング」、「データ種別」、「スキャン方式」、「スキャン画像階調」、「スキャン解像度」、「スキャンパネル」、「表示パネル」、および「予備」の各フィールドを含んでいる。そして、各フィールドには、例えば、図６に示す値が指定可能である。
【００７７】
「ヘッダ」フィールドは、フレームの開始を示すフィールドである。「ヘッダ」フィールドであることが識別可能であれば、「ヘッダ」フィールドの値は、どのような値であってもよい。
【００７８】
次に、「データ取得タイミング」フィールドは、データを主制御部８００へ送信すべきタイミングを指定するフィールドである。「データ取得タイミング」フィールドには、例えば、“00”（センス）、“01”（イベント）、および“10”（オール）という値が指定可能である。
【００７９】
ここで、“センス”は、最新のデータを直ちに送信すること指定するものである。よって、センサデータ処理部７０３は、「データ取得タイミング」フィールドの値が“センス”であるコマンドを受信すると、「データ種別」フィールドにて指定されている最新のデータを、直ちに、主制御部８００に送信する。
【００８０】
また、“イベント”は、センサ制御部６０２から受信する画像データに変化が生じたタイミングで送信すること指定するものである。よって、センサデータ処理部７０３は、「データ取得タイミング」フィールドの値が“イベント”であるコマンドを受信すると、「データ種別」フィールドにて指定されているデータを、センサ制御部６０２から受信する画像データに、所定の閾値より大きい変化が生じたタイミングで、主制御部８００に送信する。
【００８１】
また、“オール”は、所定周期でデータを送信すること指定するものである。よって、センサデータ処理部７０３は、「データ取得タイミング」フィールドの値が“オール”であるコマンドを受信すると、「データ種別」フィールドにて指定されているデータを、所定周期で、主制御部８００に送信する。なお、上記所定周期は、光センサ回路３２にてスキャンを行う周期と一致する。
【００８２】
次に、「データ種別」フィールドは、センサデータ処理部７０３から取得するデータの種別を指定するフィールドである。なお、「データ種別」フィールドには、例えば、“001”（座標）、“010”（部分画像）、および“100”（全体画像）という値が指定可能である。さらに、これらの値を加算することによって、“座標”と、“部分画像”／“全体画像”とを、同時に指定可能である。例えば、“座標”と“部分画像”とを同時に指定する場合、“011”と指定することができる。
【００８３】
センサデータ処理部７０３は、「データ種別」フィールドの値が“全体画像”であるコマンドを受信すると、画像データバッファ７０４に記憶している画像データそのものを主制御部８００に送信する。画像データバッファ７０４に記憶している画像データそのものを、「全体画像データ」と称する。
【００８４】
また、センサデータ処理部７０３は、「データ種別」フィールドの値が“部分画像”であるコマンドを受信すると、センサ制御部６０２から受信する画像データから、所定の閾値より大きい変化が生じた部分を含む領域を抽出し、該抽出した領域の画像データを主制御部８００に送信する。ここで、当該画像データを、「部分画像データ」と称する。なお、上記部分画像データが複数抽出された場合、センサデータ処理部７０３は、該抽出されたそれぞれの部分画像データを主制御部８００に送信する。
【００８５】
さらに、センサデータ処理部７０３は、「データ種別」フィールドの値が“部分画像”であるコマンドを受信したとき、部分画像データにおける代表座標を検出し、当該代表座標の部分画像データにおける位置を示す座標データを主制御部８００に送信する。なお、上記代表座標とは、例えば、上記部分画像データの中心の座標、上記部分画像データの重心の座標などが挙げられる。
【００８６】
次に、センサデータ処理部７０３は、「データ種別」フィールドの値が“座標”であるコマンドを受信すると、上記代表座標の全体画像データにおける位置を示す座標データを主制御部８００に送信する。なお、上記部分画像データが複数抽出された場合、センサデータ処理部７０３は、該抽出された、それぞれの部分画像データの、全体画像データにおける代表座標を検出し、当該代表座標を示す座標データのそれぞれを主制御部８００に送信する（多点検出）。
【００８７】
なお、全体画像データ、部分画像データ、および座標データの具体例については、模式図を参照しながら後述する。
【００８８】
次に、「スキャン方式」フィールドは、スキャン実行時に、バックライト３０７を点灯するか否かを指定するフィールドである。「スキャン方式」フィールドには、例えば、“00”（反射）、“01”（透過）、および“10”（反射／透過）という値が指定可能である。
【００８９】
“反射”は、バックライト３０７を点灯した状態でスキャンを行うこと指定するものである。よって、センサデータ処理部７０３は、「スキャン方式」フィールドの値が“反射”であるコマンドを受信すると、光センサ駆動回路３０５とバックライト駆動回路３０８とが同期して動作するように、センサ制御部６０２とバックライト制御部６０３とに指示を与える。
【００９０】
また、“透過”は、バックライト３０７を消灯した状態でスキャンを行うことを指定するものである。よって、センサデータ処理部７０３は、「スキャン方式」フィールドの値が“透過”であるコマンドを受信すると、光センサ駆動回路３０５を動作させ、バックライト駆動回路３０８と動作させないようにセンサ制御部６０２とバックライト制御部６０３とに指示を与える。なお、“反射／透過”は、“反射”と“透過”とを併用してスキャンを行うことを指定するものである。
【００９１】
次に、「スキャン画像階調」フィールドは、部分画像データおよび全体画像データの階調を指定するフィールドである。「スキャン画像階調」フィールドには、例えば、“00”（２値）、および“01”（多値）という値が指定可能である。
【００９２】
ここで、センサデータ処理部７０３は、「スキャン画像階調」フィールドの値が“２値”であるコマンドを受信すると、部分画像データおよび全体画像データをモノクロデータとして、主制御部８００に送信する。
【００９３】
また、センサデータ処理部７０３は、「スキャン画像階調」フィールドの値が“多値”であるコマンドを受信すると、部分画像データおよび全体画像データを多階調データとして、主制御部８００に送信する。
【００９４】
次に、「スキャン解像度」フィールドは、部分画像データおよび全体画像データの解像度を指定するフィールドである。「スキャン解像度」フィールドには、例えば、“0”（高）および“1”（低）という値が指定可能である。
【００９５】
ここで、“高”は、高解像度を指定するものである。よって、センサデータ処理部７０３は、「スキャン解像度」フィールドの値が“高”であるコマンドを受信すると、部分画像データおよび全体画像データを高解像度で主制御部８００に送信する。例えば、画像認識などの画像処理を行う対象の画像データ（指紋などの画像データ）には、“高”を指定することが望ましい。
【００９６】
また、“低”は、低解像度を指定するものである。よって、センサデータ処理部７０３は、「スキャン解像度」フィールドの値が“低”であるコマンドを受信すると、部分画像データおよび全体画像データを低解像度で主制御部８００に送信する。例えば、タッチした位置等が分かる程度でよい画像データ（タッチした指や手の画像データなど）には、“低”を指定することが望ましい。
【００９７】
次に、「スキャンパネル」フィールドは、どの表示／光センサ部３００にて対象物のスキャンを行うかを指定するフィールドである。「スキャンパネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【００９８】
ここで、センサデータ処理部７０３は、「スキャンパネル」フィールドの値が“第１表示／光センサ部３００Ａ”であるコマンドを受信すると、第１表示／光センサ部３００Ａの光センサ駆動回路３０５およびバックライト駆動回路３０８を制御するように、センサ制御部６０２およびバックライト制御部６０３に指示を与える。
【００９９】
次に、「表示パネル」フィールドは、どの表示／光センサ部３００にて表示データを表示させるかを指定するフィールドである。「表示パネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【０１００】
ここで、表示データ処理部７０１は、例えば、「表示パネル」フィールドの値が“第１表示／光センサ部３００Ａ”であるコマンドを受信すると、第１表示／光センサ部３００Ａに表示データを表示させるために、第１表示／光センサ部３００Ａの液晶パネル駆動回路３０４およびバックライト駆動回路３０８を制御するように、表示制御部６０１およびバックライト制御部６０３に指示を与える。
【０１０１】
次に、「予備」フィールドは、上述したフィールドにて指定可能な情報以外の情報をさらに指定する必要がある場合に、適宜指定されるフィールドである。
【０１０２】
なお、主制御部８００にて実行されるアプリケーションは、コマンドを送信するにあたり、上述したフィールドを全て使用する必要はなく、使用しないフィールドには無効値（ＮＵＬＬ値など）を設定しておけばよい。
【０１０３】
また、ユーザが指やペンなどでタッチした位置の座標データを取得したいときは、「データ種別」フィールドに“座標”を指定したコマンドをデータ処理部７００に送信することとなるが、指やペンなどは動きがあるため、さらに、当該コマンドの「データ取得タイミング」フィールドに“オール”を指定し、座標データを取得するようにすることが望ましい。また、タッチした位置の座標データが取得できればよいため、スキャンの精度は高くなくてもよい。したがって、上記コマンドの「解像度」フィールドの値は“低”を指定しておけばよい。
【０１０４】
また、コマンドの「データ種別」フィールドに“座標”を指定した場合において、例えば、ユーザが、複数の指やペンなどでセンサ内蔵液晶パネル３０１を同時にタッチした場合は、該タッチした位置の座標データのそれぞれを取得することができる（多点検出）。
【０１０５】
また、原稿などの対象物の画像データを取得する場合、「データ種別」フィールドに“全体画像”を指定したコマンドをデータ処理部７００に送信することとなるが、原稿などの対象物は、通常、静止させた状態でスキャンを実行することが一般的であるため、周期的にスキャンを実行する必要はない。従って、この場合は、「データ取得タイミング」フィールドに“センス”または“イベント”を指定することが望ましい。なお、原稿などの対象物をスキャンするときは、ユーザが文字を読みやすいように、スキャン精度は高い方が望ましい。したがって、「解像度」フィールドには“高”を指定することが望ましい。
【０１０６】
（全体画像データ／部分画像データ／座標データ）
次に、図７を参照しながら、全体画像データ、部分画像データ、および座標データについて、例を挙げて説明する。図７（ａ）に示す画像データは、対象物がセンサ内蔵液晶パネル３０１上に置かれていないときに、センサ内蔵液晶パネル３０１全体をスキャンした結果として得られる画像データである。また、図７（ｂ）に示す画像データは、ユーザが指でセンサ内蔵液晶パネル３０１をタッチしているときに、センサ内蔵液晶パネル３０１全体をスキャンした結果として得られる画像データである。
【０１０７】
ユーザが指でセンサ内蔵液晶パネル３０１をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる。
【０１０８】
図７（ｂ）に示す画像データでは、図７（ａ）に示す画像データと比べると、ユーザの指に該当する部分の画素値の明度が高くなっている。そして、図７（ｂ）に示す画像データにおいて、明度が所定の閾値より大きく変化している画素値を全て含む最小の矩形領域（領域ＰＰ）が、“部分画像データ”である。
【０１０９】
なお、領域ＡＰで示される画像データが、“全体画像データ”である。
【０１１０】
また、部分画像データ（領域ＰＰ）の代表座標Ｚの、全体画像データ（領域ＡＰ）における座標データは（Ｘａ,Ｙａ）であり、部分画像データ（領域ＰＰ）における座標データは（Ｘｐ,Ｙｐ）である。
【０１１１】
（センサ内蔵液晶パネルの構成）
次に、図８を参照しながら、センサ内蔵液晶パネル３０１の構成、および、センサ内蔵液晶パネル３０１の周辺回路３０９の構成について説明する。図８は、表示／光センサ部３００の要部、特に、センサ内蔵液晶パネル３０１の構成および周辺回路３０９の構成を示すブロック図である。
【０１１２】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂを総称して用いる。
【０１１３】
画素回路３１は、センサ内蔵液晶パネル３０１上の列方向（縦方向）にｍ個、行方向（横方向）に３ｎ個配置される。そして、Ｒ画素回路３１ｒ、Ｇ画素回路３１ｇ、およびＢ画素回路３１ｂの組が、行方向（横方向）に連続して配置される。この組が１つの画素を形成する。
【０１１４】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【０１１５】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【０１１６】
光センサ回路３２にて光の強度に応じた電圧を出力させるためには、まず、コンデンサ３５の一方の電極に接続されているセンサ読み出し線ＲＷiと、フォトダイオード３６のアノード端子に接続されているセンサリセット線ＲＳiとに所定の電圧を印加する。この状態において、フォトダイオード３６に光が入射されると、入射した光量に応じた電流がフォトダイオード３６に流れる。そして、当該電流に応じて、コンデンサ３５の他方の電極とフォトダイオード３６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【０１１７】
次に、センサ内蔵液晶パネル３０１の周辺回路である、液晶パネル駆動回路３０４、光センサ駆動回路３０５、およびセンサ出力アンプ４４について説明する。
【０１１８】
液晶パネル駆動回路３０４は、画素回路３１を駆動するための回路であり、走査信号線駆動回路３０４１およびデータ信号線駆動回路３０４２を含んでいる。
【０１１９】
走査信号線駆動回路３０４１は、表示制御部６０１から受信したタイミング制御信号ＴＣ１に基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【０１２０】
データ信号線駆動回路３０４２は、表示制御部６０１から受信した表示データＤ（ＤＲ、ＤＧ、およびＤＢ）に基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【０１２１】
光センサ駆動回路３０５は、光センサ回路３２を駆動するための回路である。光センサ駆動回路３０５は、センサ制御部６０２から受信したタイミング制御信号ＴＣ２に基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２に基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【０１２２】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
【０１２３】
（主制御部の構成）
次に、データ表示／センサ装置１００が備える主制御部８００の機能構成について図１を参照しながら詳細に説明する。同図に示すように、主制御部８００は、ＯＳ（Operation System）部８１０、アプリケーション処理部８２０、入力アプリケーション部８３０、および、スライド状態検出部（スライド状態検出手段）８４０を備えた構成となっている。
【０１２４】
ＯＳ部８１０は、主制御部８００のシステム管理と、基本的なユーザー操作環境を提供する機能を実行するものである。より具体的には、ＯＳ部８１０は、メモリ管理、入出力管理、およびタスク管理などの基本管理処理、および、ＧＵＩ（Graphical User Interface）や各種ユーティリティの提供処理などを行う。このＯＳ部８１０には、画面表示制御部（画面表示制御手段）８１１および入力制御部８１２が設けられている。
【０１２５】
画面表示制御部８１１は、表示／光センサ部３００における表示内容を統括的に制御するブロックである。表示内容の制御としては、表示すべき情報の選択、表示すべき画像の選択、および各情報の表示の配置設定、サイズ設定などが挙げられる。より具体的には、画面表示制御部８１１は、後述するスライド状態検出部８４０から、上部筐体４０と下部筐体４１とのスライド状態を示す情報を受信し、これに基づいて、後述する入力アプリケーション部８３０によって表示されるキーボード画像の表示領域、および、実行中のアプリケーションの表示領域を決定する。そして、画面表示制御部８１１は、上記の表示領域の決定に従って、後述するアプリケーション表示制御部８２１およびキー表示制御部８３１と連携して、各種アプリケーションの表示状態、およびキーボード画像の表示状態を制御する。この画面表示制御部８１１による画面表示制御結果に応じた表示データおよびコマンドが、データ処理部７００における表示データ処理部７０１に送信される。
【０１２６】
入力制御部８１２は、ユーザからの各種入力操作を受け付けて、その入力操作内容に応じた処理を実行する制御を行う。ユーザからの入力操作としては、操作部９０３によって受け付けられた入力操作、および、後述する入力アプリケーション部８３０によって受け付けられた入力操作が挙げられる。入力制御部８１２は、これらの入力操作に応じた入力指示情報を、ＯＳ部８１０、入力アプリケーション部８３０、およびアプリケーション処理部８２０に対して送信する。
【０１２７】
なお、ＯＳ部８１０は、記憶部９０１に記憶されているＯＳプログラム９１２が呼び出されて実行されることによって実現される。また、画面表示制御部８１１は、記憶部９０１に記憶されているＯＳ部画像データ９１１に基づいて、ＯＳの処理に関わる画像の表示制御を実行する。
【０１２８】
アプリケーション処理部８２０は、各種アプリケーションプログラムを実行するブロックである。アプリケーションプログラムの一例としては、メール送受信アプリケーション、インターネットのブラウザアプリケーション、文書作成アプリケーション、計算機アプリケーション、および電話機能アプリケーションなどが挙げられる。すなわち、アプリケーション処理部８２０は、実際には、主制御部８００にインストールされているアプリケーションの種類に応じて１以上設けられていることになる。このアプリケーション処理部８２０には、アプリケーション表示制御部８２１が設けられている。
【０１２９】
アプリケーション表示制御部８２１は、アプリケーション処理部８２０において実行されている処理に応じた表示を制御する処理を行う。具体的には、アプリケーション表示制御部８２１は、画面表示制御部８１１から、実行しているアプリケーションに与えられた表示領域（アプリケーション表示領域）を示す情報を取得し、該アプリケーション表示領域内で該アプリケーションの表示を行うように制御を行い、この表示制御に関する情報を画面表示制御部８１１に送信する。
【０１３０】
なお、アプリケーション処理部８２０は、記憶部９０１に記憶されているアプリケーションプログラム９１４が呼び出されて実行されることによって実現される。また、アプリケーション表示制御部８２１は、記憶部９０１に記憶されているアプリケーション画像データ９１３に基づいて、アプリケーションの処理に関わる画像の表示制御を実行する。なお、アプリケーション画像データ９１３は、アプリケーション特有の画像データに加え、ＯＳが提供するＡＰＩ（Application Program Interface）の形式の画像データを含んでいてもよい。
【０１３１】
入力アプリケーション部８３０は、表示／光センサ部３００にキーボード画像を表示させるとともに、該キーボード画像に対して、ユーザが指やペンなどでポインティング（タッチ）した位置の検出結果に基づいて入力情報を取得する処理を行う。すなわち、入力アプリケーション部８３０は、いわゆるソフトウェアキーボードに相当する機能を提供するブロックである。この入力アプリケーション部８３０には、キー表示制御部８３１およびキー入力制御部８３２が設けられている。
【０１３２】
キー表示制御部８３１は、入力アプリケーション部８３０によるキーボード画像の表示を制御する処理を行う。具体的には、キー表示制御部８３１は、画面表示制御部８１１から、キーボード画像の表示に与えられた表示領域（キーボード表示領域）に関する情報を取得し、該キーボード表示領域内でキーボード画像の表示を行うように制御を行い、この表示制御に関する情報を画面表示制御部８１１に送信する。
【０１３３】
キー入力制御部８３２は、データ処理部７００におけるセンサデータ処理部７０３からのセンシング結果に基づいて、どのキーに対してタッチが行われたかを判定し、その判定結果を入力情報として入力制御部８１２に送信する処理を行う。
【０１３４】
なお、入力アプリケーション部８３０は、記憶部９０１に記憶されている入力アプリケーションプログラム９１６が呼び出されて実行されることによって実現される。また、キー表示制御部８３１は、記憶部９０１に記憶されている入力アプリケーション画像データ９１５に基づいて、入力アプリケーションの処理に関わる画像の表示制御を実行する。なお、入力アプリケーション画像データ９１５は、入力アプリケーション特有の画像データに加え、ＯＳが提供するＡＰＩ（Application Program Interface）の形式の画像データを含んでいてもよい。
【０１３５】
スライド状態検出部８４０は、データ処理部７００におけるセンサデータ処理部７０３からのセンシング結果に基づいて、上部筐体４０と下部筐体４１とのスライド状態を判定する。そして、この判定結果を、スライド状態を示す情報として画面表示制御部８１１に送信する。
【０１３６】
（表示制御処理の流れ）
次に、主制御部８００による表示制御処理の流れについて、図１０に示すフローチャートを参照しながら説明する。
【０１３７】
まず、ステップ１（以降、Ｓ１のように称する）において、スライド状態検出部８４０が、上部筐体４０と下部筐体４１とのスライド状態検出結果に基づいて、スライド方向を検出する。また、Ｓ２において、同じくスライド状態検出部８４０が、上部筐体４０と下部筐体４１とのスライド状態検出結果に基づいて、スライド量を検出する。このスライド方向およびスライド量の検出の詳細について説明する。
【０１３８】
まず、スライド状態検出部８４０は、センサデータ処理部７０３から定期的にセンシング結果としての画像データを取得する。ここで取得される画像データは、第２表示／光センサ部３００Ｂにおける「全体画像」とし、「低い解像度のスキャンデータ」とする。ここで、例えば上部筐体４０と下部筐体４１とが第１の方向でスライドしていたとすると、第２表示／光センサ部３００Ｂにおける「全体画像」としての画像データは、第１の方向に垂直な方向の直線を境界として、画素値の明度が異なる２つの領域が存在することになる。また逆に、上部筐体４０と下部筐体４１とが第２の方向でスライドしていたとすると、第２表示／光センサ部３００Ｂにおける「全体画像」としての画像データは、第２の方向に垂直な方向の直線を境界として、画素値の明度が異なる２つの領域が存在することになる。
【０１３９】
すなわち、スライド状態検出部８４０は、取得した第２表示／光センサ部３００Ｂにおける「全体画像」としての画像データを解析し、第１の方向に垂直な方向の直線を境界として、画素値の明度が異なる２つの領域が存在することを検出した場合に、上部筐体４０と下部筐体４１とが第１の方向でスライドしていると判定し、第２の方向に垂直な方向の直線を境界として、画素値の明度が異なる２つの領域が存在することを検出した場合に、上部筐体４０と下部筐体４１とが第２の方向でスライドしていると判定することになる。
【０１４０】
ここで、例えば第２表示／光センサ部３００Ｂの領域において、第１の方向または第２の方向と同じ方向の直線を端部とする何らかの物体が存在した場合、その位置に上部筐体４０のスライド方向の端部が存在していると誤判定する可能性が考えられる。この誤判定を抑制するために、次のような判定をさらに行っても良い。すなわち、第１の方向または第２の方向に垂直な方向の直線を境界として、画素値の明度が異なる２つの領域が存在することを検出した場合に、上部筐体４０の陰になっている領域と判定される領域の明度が、所定の範囲の値である場合に、その位置に上部筐体４０のスライド方向の端部が存在していると判定する。これは、上記のように何らかの物体が存在する場合と、上部筐体４０の陰になっている場合とでは、その領域の明度は互いに異なっていることが予想されるからである。
【０１４１】
また、上記のように、第１の方向または第２の方向に垂直な方向の直線を境界として、画素値の明度が異なる２つの領域が存在することを検出した場合に、スライド状態検出部８４０は、上記の直線の位置に上部筐体４０のスライド方向の端部が存在すると判定し、これに基づいてスライド量を特定する。
【０１４２】
次にＳ３において、画面表示制御部８１１が、その時点において、入力アプリケーション部８３０によるキーボード画像の表示が必要であるか否かを判定する。この判定は、その時点で実行されており、かつアクティブになっているアプリケーションが、ソフトウェアキーボードによる入力を必要とするものであるか否かに基づいて行われる。すなわち、画面表示制御部８１１が、アプリケーション処理部８２０から、ソフトウェアキーボードによる入力を必要とするものであるか否かの情報を取得し、キーボード画像の表示が必要であるか否かを判定する。
【０１４３】
Ｓ３においてＮＯ、すなわち、入力アプリケーション部８３０によるキーボード画像の表示が不要であると判定された場合、後述するＳ７からの処理に移行する。一方、Ｓ３においてＹＥＳ、すなわち、入力アプリケーション部８３０によるキーボード画像の表示が必要であると判定された場合、Ｓ４において、キー表示制御部８３１が、表示するキーボードのタイプ（表示キータイプ）を決定する。
【０１４４】
詳しく説明すると、キー表示制御部８３１は、画面表示制御部８１１から、上部筐体４０と下部筐体４１とのスライド方向に関する情報を取得し、このスライド方向に応じて表示すべきキーボードのタイプを決定する。例えば、スライド方向としての第１の方向が、上部筐体４０および下部筐体４１の長手方向に垂直な方向であるとすると、第１の方向にスライドしている場合には、図１２（ａ）および（ｂ）に示すように、ＱＷＥＲＴＹタイプのキーボードが選択され、第２の方向にスライドしている場合には、図１３（ａ）および（ｂ）に示すように、テンキータイプのキーボードが選択される。
【０１４５】
Ｓ４において、表示キータイプが設定されると、Ｓ５において、画面表示制御部８１１が、キーボード画像を表示する領域であるキーボード表示領域を設定する。詳しく説明すると、画面表示制御部８１１は、Ｓ４において選択された表示キータイプと、その時点で実行されており、かつアクティブになっているアプリケーションの種類と、Ｓ２において検出されたスライド量との少なくともいずれか１つに基づいて、キーボード表示領域の大きさおよび位置を設定する。
【０１４６】
キーボード表示領域が設定されると、Ｓ６において、画面表示制御部８１１がキーボード画像の表示処理（キー表示処理）を行う。具体的には、画面表示制御部８１１は、キー表示制御部８３１からキーボード画像の表示制御に関わる情報を取得し、設定されたキーボード表示領域におけるキーボード画像の表示を制御する。ここで、画面表示制御部８３１は、キーボード表示領域の大きさに応じて、第２表示／光センサ部３００Ｂのみに対してキーボード画像の表示制御を行うか、さらに第１表示／光センサ部３００Ａに対してもキーボード画像の表示制御を行うかを決定する。この制御結果が、表示データ処理部７０１に送信される。
【０１４７】
なお、キー表示制御部８３１が、キーボード表示領域の大きさに応じて、表示すべきキーボード画像の内容を変更する制御を行うようになっていてもよい。キーボード画像の内容を変更する制御としては、例えば、各キーの大きさを変更する制御、および、表示するキーの種類を変更する制御などが挙げられる。
【０１４８】
具体的には、キー表示制御部８３１は、画面表示制御部８１１からキーボード表示領域の大きさおよび位置に関する情報を取得する。そして、キー表示制御部８３１は、取得したキーボード表示領域の情報に基づいて、表示するキーボード画像を選択する。例えば、キーボード表示領域の大きさが大きい場合には、キーボードにおける各キーの大きさを大きめにする、表示するキーの種類を多くするなどの制御をする一方、キーボード表示領域の大きさが小さい場合には、キーボードにおける各キーの大きさを小さめにする、表示するキーの種類を少なくするなどの制御が考えられる。
【０１４９】
そして、Ｓ７において、アプリケーション表示領域に対して、画面表示制御部８１１が、その時点で実行されており、かつアクティブとなっているアプリケーションの画像を表示する制御を行う。具体的には、画面表示制御部８１１は、アプリケーション表示制御部８２１からアプリケーションの画像の表示制御に関わる情報を取得し、設定されたアプリケーション表示領域におけるアプリケーションの画像の表示を制御する。ここで、画面表示制御部８３１は、アプリケーション表示領域の大きさに応じて、第１表示／光センサ部３００Ａのみに対してアプリケーションの画像の表示制御を行うか、さらに第２表示／光センサ部３００Ｂに対してもアプリケーションの画像の表示制御を行うかを決定する。この制御結果が、表示データ処理部７０１に送信される。
【０１５０】
例えば図１２（ａ）および（ｂ）に示す例では、スライド方向が上部筐体４０および下部筐体４１の長手方向に垂直な方向であり、ＱＷＥＲＴＹタイプのキーボードが選択されている。また、別の例として、図１３（ａ）および（ｂ）に示す例では、スライド方向が上部筐体４０および下部筐体４１の長手方向に平行な方向であり、テンキータイプのキーボードが選択されている。また、実行されているアプリケーションとして、メールアプリケーションが選択されている。
【０１５１】
そして、図１２（ａ）または図１３（ａ）に示す例では、スライド量が比較的大きくなっている。よって、キーボード表示領域は、第２表示／光センサ部３００Ｂの外部露出領域全域に相当するＡ１の領域に設定されている。また、アプリケーション表示領域は、第１表示／光センサ部３００Ａの全域に相当するＡ２の領域に設定されている。
【０１５２】
一方、図１２（ｂ）または図１３（ｂ）に示す例では、スライド量が比較的小さくなっている。よって、キーボード表示領域は、第２表示／光センサ部３００Ｂの外部露出領域全域に加えて、第１表示／光センサ部３００Ａにおける、第２表示／光センサ部３００Ｂに隣接する部分領域までのＡ１の領域に設定されている。また、アプリケーション表示領域は、第１表示／光センサ部３００Ａの領域のうち、キーボード表示領域に割り当てられた領域以外の部分に設定されている。
【０１５３】
また、図１１（ａ）および（ｂ）に示す例では、キーボード画像の表示が行われていない状態を示している。この場合、アプリケーション表示領域は、第１表示／光センサ部３００Ａの全域、および、第２表示／光センサ部３００Ｂの外部露出領域の全域となる。よって、スライド量に応じて、アプリケーション表示領域の大きさが変化することになる。
【０１５４】
例えば、図１１（ａ）に示す例では、アプリケーション表示領域内に所定の画像が示されているが、この所定の画像は、第２表示／光センサ部３００Ｂの領域にのみ表示されている。一方、図１１（ｂ）に示す例では、図１１（ａ）に示す例と比較して、スライド量が小さい、すなわち、第２表示／光センサ部３００Ｂの外部露出領域が狭くなっている。この場合、上記の所定の画像は、第２表示／光センサ部３００Ｂと、第１表示／光センサ部３００Ａとの両方にまたがった状態で表示されている。
【０１５５】
その後、Ｓ８において、電源がＯＦＦされたか否かが判定され、電源がＯＦＦされるまで上記の処理が繰り返される。
【０１５６】
（その他の構成例）
上記の例では、上部筐体４０と下部筐体４１とのスライド状態の検出は、第２表示／光センサ部３００Ｂにおけるセンシング結果に基づいて行われている。しかしながら、この例に限定されるものではなく、上記スライド状態の検出を行うことができる構成であればどのような構成であってもよい。
【０１５７】
このような構成としては、例えば、上部筐体４０と下部筐体４１とのスライド状態を機械的な構成で検出するものが挙げられる。より具体的には、上部筐体４０と下部筐体４１との接続面またはその近傍に、スライド状態に応じて配置位置が変化する構造物が１以上設けられ、この構造物の配置状態の変化に応じてスライド状態を検出する構成が考えられる。また、上部筐体４０と下部筐体４１との接続面に、表示／光センサ部３００とは別に、フォトダイオードなどの光センサを１以上設け、この光センサの検出結果に基づいてスライド状態を検出する構成なども考えられる。
【０１５８】
このような構成の場合、ユーザが指やペンなどでポインティング（タッチ）した位置の検出を、上記のような光センサではなく、その他のタッチパネル、例えば透明電極を用いた圧力検出型や、赤外線センサを用いた光学式非接触型などのタッチパネルで実現してもよい。
【０１５９】
しかしながら、上記の例のように、上部筐体４０と下部筐体４１とのスライド状態の検出が、第２表示／光センサ部３００Ｂにおけるセンシング結果に基づいて行われることにより、スライド状態の検出のための構成を別途設ける必要をなくすことができる。すなわち、上記の例によれば、構成の簡素化および装置コストの低減を実現できる。
【０１６０】
（プログラムおよび記録媒体）
最後に、データ表示／センサ装置１００に含まれている回路制御部６００、データ処理部７００、および主制御部８００は、ハードウェアロジックによって構成すればよい。または、次のように、ＣＰＵ（Central Processing Unit）を用いてソフトウェアによって実現してもよい。
【０１６１】
すなわち、回路制御部６００、データ処理部７００および主制御部８００は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１６２】
そして、本発明の目的は、回路制御部６００、データ処理部７００および主制御部８００のプログラムメモリに固定的に担持されている場合に限らず、上記プログラムのプログラムコード（実行形式プログラム、中間コードプログラム、または、ソースプログラム）を記録した記録媒体をデータ表示／センサ装置１００に供給し、データ表示／センサ装置１００が上記記録媒体に記録されている上記プログラムコードを読み出して実行することによっても、達成可能である。
【０１６３】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１６４】
また、回路制御部６００、データ処理部７００および主制御部８００（またはデータ表示／センサ装置１００）を通信ネットワークと接続可能に構成しても、本発明の目的を達成できる。この場合、上記のプログラムコードを、通信ネットワークを介して回路制御部６００、データ処理部７００および主制御部８００に供給する。この通信ネットワークは回路制御部６００、データ処理部７００および主制御部８００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１６５】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１６６】
以上、本発明を実施形態に基づいて具体的に説明したが、本発明は、上述した実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【０１６７】
本発明に係る画像表示装置は、携帯電話または携帯型ゲーム機などの携帯型情報端末に好適に利用することができる。
【図面の簡単な説明】
【０１６８】
【図１】本発明に係るデータ表示／センサ装置の要部構成を示すブロック図である。
【図２】センサ内蔵液晶パネルの断面を模式的に示す図である。
【図３】センサ内蔵液晶パネル上をタッチした位置を検出する検出方法を模式的に示す図であり、（ａ）は反射像を検知することにより、ユーザがタッチした位置を検出する様子を示す模式図であり、（ｂ）は影像を検知することにより、ユーザがタッチした位置を検出する様子を示す模式図である。
【図４】本発明に係るデータ表示／センサ装置の構成を示すブロック図である。
【図５】コマンドのフレーム構造の一例を模式的に示す図である。
【図６】コマンドに含まれる各フィールドに指定可能な値の一例、および、その概要を説明する図である。
【図７】センサ内蔵液晶パネルをスキャンした結果として得られる画像データを示す図であり、（ａ）は、対象物がセンサ内蔵液晶パネル上に置かれていないときに、センサ内蔵液晶パネル全体をスキャンした結果として得られる画像データであり、（ｂ）は、ユーザが指でセンサ内蔵液晶パネルをタッチしているときに、センサ内蔵液晶パネル全体をスキャンした結果として得られる画像データである。
【図８】センサ内蔵液晶パネルの構成および周辺回路の構成を示すブロック図である。
【図９】（ａ）〜（ｃ）は、本発明に係るデータ表示／センサ装置の外観を模式的に示す図である。
【図１０】主制御部による表示制御処理の流れを示すフローチャートである。
【図１１】（ａ）および（ｂ）は、キーボード画像の表示が行われず、アプリケーション表示領域が第１表示／光センサ部の全域、および、第２表示／光センサ部の外部露出領域の全域となっている例を示す図である。
【図１２】（ａ）および（ｂ）は、スライド方向が上部筐体および下部筐体の長手方向に垂直な方向であり、ＱＷＥＲＴＹタイプのキーボードが選択されている例を示す図である。
【図１３】（ａ）および（ｂ）は、スライド方向が上部筐体および下部筐体の長手方向に平行な方向であり、テンキータイプのキーボードが選択されている例を示す図である。
【符号の説明】
【０１６９】
６  フォトダイオード
３１  画素回路
３２  光センサ回路
３６  フォトダイオード
４０  上部筐体（第１筐体）
４１  下部筐体（第２筐体）
５１Ａ  アクティブマトリクス基板
５１Ｂ  対向基板
５２  液晶層
５５  対向電極
５６  画素電極
５７  データ信号線
１００  データ表示／センサ装置
３００  表示／光センサ部
３００Ａ  第１表示／光センサ部（第１表示部・第１入力検知部）
３００Ｂ  第２表示／光センサ部（第２表示部・第２入力検知部）
３０１  センサ内蔵液晶パネル
３０４  液晶パネル駆動回路
３０５  光センサ駆動回路
３０６  信号変換回路
３０７  バックライト
３０８  バックライト駆動回路
６００  回路制御部
６０１  表示制御部
６０２  センサ制御部
６０３  バックライト制御部
６０４  表示データ記憶部
７００  データ処理部
７０１  表示データ処理部
７０３  センサデータ処理部
８００  主制御部
８１０  ＯＳ部
８１１  画面表示制御部（画面表示制御手段）
８１２  入力制御部
８２０  アプリケーション処理部
８２１  アプリケーション表示制御部
８３０  入力アプリケーション部
８３１  キー表示制御部
８３１  画面表示制御部
８３２  キー入力制御部
８４０  スライド状態検出部（スライド状態検出手段）
９０１  記憶部
９０２  一次記憶部
９０３  操作部
【図１】
2010130210.tif 000003
【図２】
2010130210.tif 000004
【図３】
2010130210.tif 000005
【図４】
2010130210.tif 000006
【図５】
2010130210.tif 000007
【図６】
2010130210.tif 000008
【図７】
2010130210.tif 000009
【図８】
2010130210.tif 000010
【図９】
2010130210.tif 000011
【図１０】
2010130210.tif 000012
【図１１】
2010130210.tif 000013
【図１２】
2010130210.tif 000014
【図１３】
2010130210.tif 000015